(57)【要約】【課題】携帯型電子機器のデザイン性を損なわずに、屋外での操作性を維持することを可能とするインターフェイス部材及びインターフェイス部材を有する携帯型電子機器を提供する。【解決手段】インターフェイス部材を有する携帯型電子機器に関し、前記インターフェイス部材は、光の透過率の低い表示層と、前記表示層の入力操作位置の裏側に部分的に設けられた半鏡面層と、を備え、周辺光の照度が所定値以上の場合に前記半鏡面層による反射光により前記入力操作位置を表現するインターフェイス部材であることを特徴とする。【選択図】図１
2010113665.tif 000002
【特許請求の範囲】
【請求項１】
光の透過率の低い表示層と、前記表示層の入力操作位置の裏側に部分的に設けられた半鏡面層と、を備え、周辺光の照度が所定値以上の場合に前記半鏡面層による反射光により前記入力操作位置を表現することを特徴とするインターフェイス部材。
【請求項２】
前記表示層は、スクリーン部材とスクリーン部材の裏側に形成した光の透過率の低いインク層とからなることを特徴とする請求項１記載のインターフェイス部材。
【請求項３】
前記表示層は、光の透過率の低いスクリーン部材でなることを特徴とする請求項１記載のインターフェイス部材。
【請求項４】
前記半鏡面層の裏側に発光素子を備えることを特徴とする請求項１から３の何れかの請求項記載のインターフェイス部材。
【請求項５】
前記発光素子は発光ダイオードであることを特徴とする請求項４記載のインターフェイス部材。
【請求項６】
前記半鏡面層の裏側と前記発光素子の間にユーザーの入力操作を検出するセンサを備えることを特徴とする請求項４又は５記載のインターフェイス部材。
【請求項７】
前記センサは静電容量方式のセンサであることを特徴とする請求項６記載のインターフェイス部材。
【請求項８】
前記センサは、前記発光素子の発光による光を前記半鏡面層に透過する光学的な開口を備えることを特徴とする請求項６又は７記載のインターフェイス部材。
【請求項９】
筺体の入力面に設けられた光の透過率の低い表示層と、前記表示層の入力操作位置の裏側に部分的に設けられた半鏡面層と、を備え、周辺光の照度が所定値以上の場合に前記半鏡面層による反射光により前記入力操作位置を表現するインターフェイス部材を有することを特徴とする携帯型電子機器。
【請求項１０】
前記表示層は、スクリーン部材とスクリーン部材の裏側に形成した光の透過率の低いインク層からなることを特徴とする請求項９記載の携帯型電子機器。
【請求項１１】
前記表示層は、光の透過率の低いスクリーン部材からなることを特徴とする請求項９記載の携帯型電子機器。
【請求項１２】
前記半鏡面層の裏側に発光素子を備えることを特徴とする請求項９から１１の何れかの請求項記載の携帯型電子機器。
【請求項１３】
前記発光素子は発光ダイオードであることを特徴とする請求項１２記載の携帯型電子機器。
【請求項１４】
前記半鏡面層の裏側と前記発光素子の間にユーザーの入力操作を検出するセンサを備えることを特徴とする請求項１２又は１３記載の携帯型電子機器。
【請求項１５】
前記センサは静電容量方式のセンサであることを特徴とする請求項１４記載の携帯型電子機器。
【請求項１６】
前記センサは、前記発光素子の発光による光を前記半鏡面層に透過する光学的な開口を備えることを特徴とする請求項１４又は１５記載の携帯型電子機器。
【請求項１７】
筺体の周辺照度を検出する照度センサを備え、前記発光素子の明るさを前記周辺照度の応じた発光光度に調整することを特徴とする請求項１２から１６の何れかの請求項記載の携帯型電子機器。
【請求項１８】
前記発光素子の発光光度の調整は、前記周辺照度が所定照度未満では、前記周辺照度の増加に応じて増加させ、前記周辺照度が所定照度以上では、前記周辺照度の増加に応じて減少させることを特徴とする請求項１７記載の携帯型電子機器。
【発明の詳細な説明】
【技術分野】
【０００１】
本発明はインターフェイス部材に関し、特に入力操作位置を表示するインターフェイス部材及びインターフェイス部材を有する携帯型電子機器に関する。
【背景技術】
【０００２】
近年の携帯電話端末や携帯型音楽プレイヤー等の携帯型電子機器においては、製品のデザイン性を向上させるため、入力操作位置となる筐体のインターフェイス部にも意匠面としてのスクリーン部材等を使用し、前記スクリーン部材の透過光を発生する発光ダイオード（ＬＥＤ：Light Emitting Diode等）を筐体内部に配置して、入力操作位置を表示するとともに、この透過光をイルミネーションとしても利用している。
【０００３】
ところで、かかる携帯型電子機器は屋外おける使用シーンが多いものであるが、屋外の照度は数千ルクスから数万ルクスにもなって、屋内の照度の数十ルクスから数百ルクスと比較すると著しく明るい。
【０００４】
このため、例えばＬＥＤ等を発光素子として用いた場合、屋内の周辺照度ではその発光光度でもスクリーンの入力操作位置の視認性は確保できるものの、屋外の周辺照度での視認性は確保できない。
【０００５】
特に、デザイン性の向上のために発光素子等を隠すようにスクリーンを濃い色にすると、屋外では発光素子等の発光が全く確認できない状況が起こることから、この場合は入力操作位置が不明確となりインターフェイス部としての表示や操作性を著しく損なうことになる。
【０００６】
このような状況に対処するため、スクリーンの入力操作位置を示す必要がある箇所に入力マーク等を表面印刷したり、あるいはスクリーンに当該箇所を除いた黒い印刷（黒印刷）を施こして内部が透視できるようにし、入力操作位置として浮き立たせる見え方とすることが考えられる。
【０００７】
図１０は本発明の関連技術の携帯型電子機器のインターフェイス部側の外観を示す図である。携帯型電子機器１３０の表示画面１３２等が配置された筺体のスクリーンにインターフェイス部１３１が設けられ、該インターフェイス部１３１には例えば４つのパターンで示す長方形の入力操作位置１３３が配置される。また、このインターフェイス部１３１の入力操作位置１３３には、ユーザーの指等の接近を検知する静電容量式等のセンサや発光ダイオードが内部に配置される。
【０００８】
図１１は本発明の関連技術の携帯型電子機器のインターフェイス部の内部構造を示す図である。図１０に示す携帯型電子機器１３０の入力操作位置の１つの長方形の長手方向の断面図である。
【０００９】
インターフェイス部の入力操作位置の外面は光の透過性の材料でなるスクリーン３５が使用され、その内側（下面）には光の透過率の低い材料の印刷（黒印刷）３４が施されている。また、前記黒印刷３４の内側（下面）には、静電式のセンサ３３が配置され、更に、センサ３３の内側（下面）にはプリント配線板等の制御基板３１上に搭載したＬＥＤ３２が配置されている。
【００１０】
ここで、黒印刷３４にはＬＥＤ３２の発光時にＬＥＤ光３６を透過し長方形のパターンを表示できるように対応する長方形の開口（穴）を形成することができる。また、制御基板３１にはＬＥＤ２の発光の制御信号及びセンサ３３の検出信号等の回路が配線されている。
【００１１】
図１２はＬＥＤ３２を発光させた場合の本携帯型電子機器のインターフェイス部側の外観を示す図である。本携帯型電子機器１３０は前述の構成により、周辺が明るい場合は図１０に示すように、スクリーン３５を介して黒印刷３５の開口（穴）が操作者の目３７に入るから入力操作位置３３のパターンが容易に視認できる。また、携帯型電子機器３０の周辺光が弱い場合はＬＥＤ４２を発光させることにより、図１２に示すように、ＬＥＤ光３６がセンサＦＰＣ３３及び黒印刷３４の各開口（穴）を透過して操作者の目３７に入るから入力操作位置３３のパターンが容易に視認できる。
【発明の開示】
【発明が解決しようとする課題】
【００１２】
しかしながら、本発明の関連技術の構成では、図１１に示すようにスクリーンの黒印刷に入力操作位置を示すための穴が形成されているため、ＬＥＤを点灯させても、点灯させなくても入力操作位置が浮き出てしまい、携帯型電子機器のデザイン性への影響が大きくなるという弊害をもたらすことになる。
【００１３】
（発明の目的）
本発明の目的は、携帯型電子機器のデザイン性を損なわずに、屋外での操作性を維持することを可能とするインターフェイス部材及びインターフェイス部材を有する携帯型電子機器を提供することにある。
【課題を解決するための手段】
【００１４】
本発明の第１のインターフェイス部材は、光の透過率の低い表示層と、前記表示層の入力操作位置の裏側に部分的に設けられた半鏡面層と、を備え、周辺光の照度が所定値以上の場合に前記半鏡面層による反射光により前記入力操作位置を表現することを特徴とする。
【００１５】
本発明の第１のインターフェイス部材を有する携帯型電子機器は、筺体の入力面に設けられた光の透過率の低い表示層と、前記表示層の入力操作位置の裏側に部分的に設けられた半鏡面層と、を備え、周辺光の照度が所定値以上の場合に前記半鏡面層による反射光により前記入力操作位置を表現するインターフェイス部材を有することを特徴とする。
【発明の効果】
【００１６】
本発明によれば、表示層の入力操作位置の裏側に部分的に設けられた半鏡面層を備えることにより、周辺が明るい場合にも、反射光により入力操作位置を特定することができる。
【００１７】
よって、スクリーン等の表示層を濃い色とし、室内等の中間光で入力操作位置を隠しても、発光素子の光と反射光の併用により入力操作位置を特定することが可能となり、デザイン性を損なうことがない。
【００１８】
また、周辺が暗い場合は発光素子を発光させることにより入力操作位置を特定することができる。
【発明を実施するための最良の形態】
【００１９】
本発明のインターフェイス部材及びインターフェイス部材を有する携帯型電子機器の実施形態について以下説明する。
【００２０】
（第１の実施形態）
図１は本発明のインターフェイス部材及びインターフェイス部材を有する携帯型電子機器の第１の実施形態のインターフェイス部側の外観図を示す図である。図１（ａ）はインターフェイス部材であり、図１（ｂ）は前記インターフェイス部材を有する携帯型電子機器である。
【００２１】
本実施形態のインターフェイス部材は、例えば図１（ｂ）に示すように携帯型電子機器の表示画面１０２等が配置された筺体のインターフェイス部１０１に使用されるインターフェイス部材であって、図１（ａ）に示すように光の透過率の低い表示層１と、前記表示層１の入力操作位置１０３の裏側に部分的に設けられた半鏡面層２と、を備え、周辺光の照度が例えば標準的な室内照度等より大きい所定値以上等、照度が高い場合に前記半鏡面層２による反射光５により前記入力操作位置１０３を表現（表示）するように構成されている。
【００２２】
この構成により通常の屋内等の使用環境における周辺照度では、光の透過率の低い表示層１によって、図１（ｂ）の点線で示すように入力操作位置１０３を携帯型電子機器のインターフェイス部の内部を隠してデザイン性を高めるとともに、屋外等のように前記所定値以上の高い周辺照度では、光の反射性を有する半鏡面層２により周辺光を反射し、その反射光で入力操作位置１０３を浮き出させる。
【００２３】
また、周辺光の照度が低い場合は発振素子４を発光させ半鏡面層２の裏面側にのみ光を照射することにより、光の透過性を有する半鏡面層２を介して透過光をインターフェイス部１０１に出力して入力操作位置１０３を浮き出させることができる。
【００２４】
このためのより具体的なインターフェイス部材としては、各半鏡面層２の裏面側にユーザーの操作を検出するセンサ３と、前記センサ３の裏面側に発光素子４とを配置した構成とすることができる。ここで、センサ３は発光素子４からの光の透過性を有する薄型センサや、光学的な開口を有するセンサ等とすると好適である。
【００２５】
（第２の実施形態）
次に本発明の第２の実施形態として、表示層に濃い色の印刷を施した光の透過性のスクリーンを使用し、発光素子にＬＥＤ（Light Emitting Diode）を使用するＬＥＤユーザーインターフェイスの構成例を以下説明する。
【００２６】
（構成の説明）
図２は本発明のインターフェイス部材を有する携帯型電子機器の第２の実施形態のインターフェイス部側の外観図を示す図である。
【００２７】
本実施形態の携帯型電子機器１１０のインターフェイス部側は、表示画面１１２等が配置されたインターフェイス部１１１に、筺体の意匠面を形成するスクリーン部材（スクリーン）が使用され、インターフェイス部１１１には例えば十字方向（直角方向）に４つの長方形のパターンで示すような入力操作位置１１３が設定されている。
【００２８】
このパターン位置のスクリーン内部には、ユーザーの指等の接近を検知する薄型化が可能な静電容量式のセンサＦＰＣ（Flexible Printed Circuit）、発光ダイオード（ＬＥＤ）等が配置され、前記センサＦＰＣは特定の機能を実現する検知信号を出力する。但し、入力操作位置を示すパターンは、図２に点線で示すように室内等の通常の明るさの使用環境では表示されず何も存在していないようにみえる。
【００２９】
図３は第２の実施形態の携帯型電子機器の入力操作位置の断面を示す図である。図２に示す携帯型電子機器１１０の入力操作位置の１つの長方形の長手方向の点線位置１１４の断面を示す図である。
【００３０】
本実施形態では、インターフェイス部材の表示層として、光透過性の材料のスクリーン１６とその裏側（下面側）に施した光の透過率の低い材料のインク層、例えば印刷層（黒印刷）１５とから構成される。また、前記黒印刷１５の裏側（下面側）には、半鏡面層としての反射シート１４が配置され、前記反射シート４の裏側（下面側）には静電容量式のセンサＦＰＣ１３が配置される。更に、センサＦＰＣ１３の裏側（下面側）にはプリント配線板等の制御基板１１上に実装した発光ダイオードＬＥＤ１２が配置されている。
【００３１】
ここで、黒印刷１５は例えば透過率２０％程度の印刷（インク）材料の使用が可能であり、反射シート１４はスクリーン１６側からの周辺光を反射し、発光ダイオードＬＥＤ１２が発光するＬＥＤ１７光をスクリーン１６側に透過するハーフミラー等である。
【００３２】
また、静電容量式のセンサＦＰＣ１３は、端部又は上下等に指等の接近による静電容量の変化（増加）を検出するための複数の電極を備えるとともに、ＬＥＤ１２の発光時にＬＥＤ光１７を透過し長方形の前記表示パターンをスクリーン上に表示できるように対応する長方形の光学的な開口（穴）を形成することができる。ＬＥＤ１２は流れる電流により発光して入力操作位置を特定（表示）するために用いられ、センサＦＰＣ１３は静電容量の変化により操作者の指の接近を感知しユーザーの入力操作を特定するために用いられる。
【００３３】
制御基板１１にはＬＥＤ１２及びセンサＦＰＣ１３の電極等と接続し、ＬＥＤ１２の発光／非発光を制御する回路、センサＦＰＣ１３の電極の間の静電容量の変化を感知する回路等が配線される。また、ＬＥＤ１２の発光／非発光の制御及びセンサＦＰＣ１３による静電容量等の検出は、前記制御基板１１上等のＣＰＵ（Central Processing Unit）等の制御回路により制御されるように構成することができる。
【００３４】
（動作の説明）
次に、携帯型電子機器１１０の周辺光が強い場合の前記周辺光による反射光による前記表示パターンの表示動作と、周辺光が弱い場合の発光ダイオードＬＥＤ１２の発光による表示パターンの表示動作を説明する。
【００３５】
携帯型電子機器１０の周辺が明るい場合は、携帯型電子機器１１０の周辺光はスクリーン１６の外面から入射し、スクリーン１６を透過した周辺光の一部がスクリーン黒印刷１５を通り抜けて反射シート１４に達し、反射シート１４にて反射し、反射光１８としてスクリーン黒印刷１５とスクリーン１６を透過して操作者の目１９に入る。
【００３６】
このように反射シート１４が存在することで、反射シート１４がない場合に比較すると反射率が向上するため、周辺光が強いほど入力操作位置１１３が明るく見える。
【００３７】
また、携帯型電子機器１１０の周辺光が弱い場合は、ＬＥＤ１２を発光させるとＬＥＤ１２から発光したＬＥＤ光１７は、センサＦＰＣ１３又はセンサの光学的な開口（穴）を通り抜け、反射シート１４を透過し、更にスクリーン黒印刷１５を一部透過して操作者の目１９に入る。
【００３８】
ここで、反射シート１４の透過率を５０％、スクリーン黒印刷１５の透過率を２０％とすると、ＬＥＤ１２から発光したＬＥＤ光１７は、反射シート１４で５０％の光度に減衰し、更にスクリーン黒印刷１５で２０％の光度に減衰するため、合計で５０％×２０％＝１０％の光度となって操作者の目９に入る。
【００３９】
図４は本実施形態の反射光と周辺光の光学特性を示すグラフである。横軸は携帯型電子機器１１０の周辺照度を示し、縦軸は入力操作位置１１３とそれ以外のスクリーン表面のコントラストを示している。周辺光による反射光１８のコントラストは周辺照度が高くなるに従って大きくなる。反対に、ＬＥＤ光による透過光１７のコントラストは周辺照度が高くなるに従って小さくなる。本実施形態では周辺照度が２０００ｌｕｘで両者のコントラストの特性が交差するように設定している。
【００４０】
図５は、周辺照度が２０００ｌｕｘより大きい場合の入力操作位置の見え方を示す図である。明るい周辺光による反射光１８により入力操作位置１１３が浮き出て見える。
【００４１】
図６は、周辺照度が２０００ｌｕｘより小さい場合の入力操作位置の見え方を示す図である。ＬＥＤ１２の点灯により入力操作位置１１３が浮き出て見える。
【００４２】
コントラストが高くなるにつれて、白い部分はより白く、黒い部分はより黒く表現され、コントラストが低くなるにつれて、ぼやけた画像として表現されるという原理によるものである。反射光と透過光（ＬＥＤ光）を併用した場合には、図４に示す両者のコントラストの合成により周辺照度にかかわらず入力操作位置を特定することが可能である。
【００４３】
以上のように、反射光１８によるコントラストと透過光１７によるコントラストを２０００ｌｕｘにて逆転するように設定することにより、周辺が明るい場合は反射光１８により入力操作位置が特定できる。よって、黒印刷により入力操作位置を隠しても、反射光と透過光（ＬＥＤ光）の併用により入力操作位置を特定することが可能となり、デザイン性を損なうことがなくなる。また、周辺が暗い場合は透過光１７により入力操作位置が特定できる。
【００４４】
（第３の実施形態）
表示層による反射光と透過光との光学特性（コントラスト）を図３に示すように所定照度で交差するように設定し、携帯型電子機器の周辺照度が所定照度以上か未満かに応じて、必要な透過光の視認性を確保できる範囲で発光素子の発光量を制御すれば低消費電力化を実現することができる。
【００４５】
図７は本発明の第３の実施形態の携帯型電子機器を示す外観図である。第３の実施形態では携帯型電子機器１２０の周辺照度を検出するための照度センサ１２４を備え、照度センサ１２４で検出した周辺照度に基づいて発光素子の電流を制御する。
【００４６】
図８は本発明の第３の実施形態の制御機能を示すブロック図である。携帯型電子機器１２０に周辺光２５の照度レベルを検出する照度センサ２４（１２４）と、個々の照度レベルの値とＬＥＤ制御電流の値の関係の情報を格納するメモリ２６と、制御電流によりＬＥＤ光２８の発光量が変化するＬＥＤ２７と、メモリ２６の格納情報を参照して照度センサ１２４が検出した照度レベルに応じて、ＬＥＤ２７に対する前記制御電流を出力するＣＰＵ２９と、を備える。
【００４７】
メモリ２６には、例えば図３に示す反射光と透過光のコントラストの交差点である所定照度（例えば２０００ｌｕｘ）を中心として、周辺の照度レベルが低下する場合も上昇する場合も、ＬＥＤ２７の発光光度が次第に減少するようなＬＥＤ制御電流の値を予め格納しておき、ＣＰＵ２９は、照度センサ１２４の検出レベルに対応したＬＥＤ制御電流の値をメモリ２６から読み出し、読み出した値のＬＥＤ制御電流を生成してＬＥＤ２７の発光光度を制御する。
【００４８】
図９は第３の実施形態による周辺照度とＬＥＤの発光光度の特性を示す図である。横軸は携帯型電子機器１２０の周辺照度であり縦軸はＬＥＤ光度である。ＣＰＵ２９が生成するＬＥＤ制御電流によりＬＥＤ２７を制御することにより、周辺照度が２０００ｌｕｘより低い場合は、照度が高くなるに従ってＬＥＤ光度が上がり、周辺照度が２０００ｌｕｘ以上の高い場合は、周辺照度が高くなるに従ってＬＥＤ光度が下がる。
【００４９】
第３の実施形態の制御により周辺照度に対応するＬＥＤの発光光度とすることで、図３に示す反射光１８と透過光１７の併用によって、反射光１８のコントラストが高い高照度領域及び同コントラストの低い低照度領域でＬＥＤ２７の電流を抑えることができ、携帯型電子機器１２０の消費電流を効果的に低減することができる。
【００５０】
以上のように反射光１８によるコントラストと透過光（ＬＥＤ光）１７によるコントラストを所定照度で逆転するように設定することにより、周辺が明るい場合は反射光１８の効果により入力操作位置が特定できる。また、周辺が暗い場合はＬＥＤ光１７により入力操作位置が特定できる。更に、所定照度等を境にしてＬＥＤ２７の発光光度を低下するように制御することで、消費電流を低減することができる。
【００５１】
（他の実施形態）
以上の実施形態では表示層として裏面に黒印刷等のインク層を有するスクリーンを使用した構成例を示したが、インク層を設けずにスクリーン自体を光の透過率の低い透光性の部材としたり、濃い黒色など光の透過性の低い濃い色としても、本発明の機能を実現することが可能である。つまり、インターフェイス部材として前記透光性の部材や色の濃い部材でなる表示層とその表示層の入力操作位置の裏面に部分的な形状の半鏡面層とから構成し、更に、半鏡面層の裏面にセンサ及び発光素子等を配置するように構成することができる。また、インク層やインク層を有しないスクリーンの光の透過率としては例えば５％乃至３５％等、所定値以下の低い透過率の材料を使用することが可能である。
【００５２】
また、以上の実施形態の発光素子の発光は、周辺照度が低い場合に発光（点灯）するように制御できるのみならず、携帯型電子機器の特定機能の動作時に、複数の入力操作位置に対応する何れか又は複数の発光素子を発光し、それぞれの形状のパターンの表示を行うように制御することができる。
【００５３】
例えば、前記表示パターンのうちの２つが示す入力操作位置を音量のそれぞれ増加、減少の制御のセンサ位置とし、携帯型電子機器が音楽再生動作時にそれぞれに対応する２つの発光素子を発光して当該入力操作位置に対するユーザーの操作を誘導するように構成することができる。この場合、暗い環境では勿論のこと、屋外等の明るい環境でも反射光と透過光（ＬＥＤ光）の併用により入力操作位置の操作の誘導が可能である。また、特定の１ないし複数の発光素子の点灯時に、不要な入力操作を回避できるように、それまで発光していた発光素子を消灯するように制御する等、よりユーザーの利便性を向上させるように制御することが可能である。
【００５４】
また、本発明の各部の部材は、以上の実施形態のものと異なるものに適宜変更が可能である。例えば黒印刷は任意の材質のインク層や黒いシートやパネルでよく、表示層の裏面の部分的な半鏡面層は表示層の上面側から見て長方形に限られるものではなく、正方形、三角形、円形等、各種の形状とすることができ、また各種の記号、文字等とすることが可能であり、また、反射シートに代え反射板に変更することが可能である。
【００５５】
センサも静電容量式に代えて任意の他の原理のセンサに変更できる。センサに設ける開口の形状も、半鏡面層の形状に対応する形状とすることができる。更に部分的な個々の半鏡面層の裏面を照射する発光素子もＬＥＤ以外の発光素子の使用が可能である。
【発明を利用しようとする例】
【００５６】
本発明のインターフェイス部材は、周囲が高い照度でも入力操作位置の視認性を確保できる部材であるから、携帯電話端末やＰＨＳ、携帯型音楽プレイヤーなどの携帯型電子機器に適用可能であり、該携帯型電子機器の筺体面やキートップ部材等に使用することが可能である。
【図面の簡単な説明】
【００５７】
【図１】本発明のインターフェイス部材及びインターフェイス部材を有する携帯型電子機器の第１の実施形態のインターフェイス部側の外観図を示す図である。
【図２】本発明のインターフェイス部材を有する携帯型電子機器の第２の実施形態のインターフェイス部側の外観図を示す図である。
【図３】第２の実施形態の携帯型電子機器の入力操作位置の断面を示す図である。
【図４】本実施形態の反射光と周辺光の光学特性を示すグラフである。
【図５】周辺照度が２０００ｌｕｘより大きい場合の入力操作位置の見え方を示す図である。
【図６】周辺照度が２０００ｌｕｘより小さい場合の入力操作位置の見え方を示す図である。
【図７】本発明の第３の実施形態の携帯型電子機器を示す外観図である。
【図８】本発明の第３の実施形態の制御機能を示すブロック図である。
【図９】第３の実施形態による周辺照度とＬＥＤの発光光度の特性を示す図である。
【図１０】本発明の関連技術の携帯型電子機器のインターフェイス部側の外観を示す図である。
【図１１】本発明の関連技術の携帯型電子機器のインターフェイス部の内部構造を示す図である。
【図１２】ＬＥＤを発光させた場合の本携帯型電子機器のインターフェイス部側の外観を示す図である。
【符号の説明】
【００５８】
１  表示層
２  半鏡面層
３  センサ
４  発光素子
５、１８  反射光
６  透過光
７、３７  目
１１、３１  制御基板
１２、２７、３２  ＬＥＤ
１３  センサＦＰＣ
１４  反射シート
１５、３４  スクリーン黒印刷
１６、３５  スクリーン
１７  透過光
２４  照度センサ
２５  周辺光
２６  メモリ
２８、３６  ＬＥＤ光
２９  ＣＰＵ
１００、１１０、１２０、１３０  携帯型電子機器
１０１、１１１、１２１、１３１  インターフェイス部
１０２、１１２、１２２、１３２  表示画面
１０３、１１３、１２３、１３３  入力操作位置
１０４、１１４、１２４、１３４  断面位置
【図１】
2010113665.tif 000003
【図２】
2010113665.tif 000004
【図３】
2010113665.tif 000005
【図４】
2010113665.tif 000006
【図５】
2010113665.tif 000007
【図６】
2010113665.tif 000008
【図７】
2010113665.tif 000009
【図８】
2010113665.tif 000010
【図９】
2010113665.tif 000011
【図１０】
2010113665.tif 000012
【図１１】
2010113665.tif 000013
【図１２】
2010113665.tif 000014